(57)【要約】  【課題】  監視場所に関係する広範囲の監視情報あるいは時間の経過の監視情報が犯罪、事故あるいは災害等の原因の究明や、未然の防止に役立つ場合が多い。このような広範囲の監視情報、あるいは時間の経過の監視情報等を収集する監視カメラシステムの実現が望まれている。  【解決手段】  複数の監視カメラ装置と、複数のセンサ装置と、上記複数の監視カメラ装置および上記複数のセンサ装置が伝送路を介して接続された監視センタを具えた監視カメラシステムにおいて、上記監視センタは、制御部および記憶部を有し、上記複数の監視カメラ装置および上記複数のセンサ装置は、複数の地域にグループ分けされると共に、上記グループ分けされたテーブルが上記監視センタの上記記憶部に記憶され、上記制御部は、上記複数のセンサ装置の少なくとも１つのセンサからの異常信号を検出すると、上記制御部は、上記異常を検出したセンサが所属するグループの複数の監視カメラ装置の映像を収集するように構成される。【選択図】  図１
2006080601.tif 000002
【特許請求の範囲】
【請求項１】
複数の監視カメラ装置と、複数のセンサ装置と、上記複数の監視カメラ装置および上記複数のセンサ装置が伝送路を介して接続された監視センタを具えた監視カメラシステムにおいて、上記監視センタは、制御部および記憶部を有し、上記複数の監視カメラ装置および上記複数のセンサ装置は、複数の地域にグループ分けされると共に、上記グループ分けされたテーブルが上記監視センタの上記記憶部に記憶され、上記制御部は、上記複数のセンサ装置の少なくとも１つのセンサからの異常信号を検出すると、上記制御部は、上記異常を検出したセンサが所属するグループの複数の監視カメラ装置の映像を収集することを特徴とする監視カメラシステム。
【請求項２】
請求項１記載の監視カメラシステムにおいて、上記監視センタは、更に、プリンタを有し、上記異常を検出したセンサが所属するグループの複数の監視カメラ装置からのそれぞれの映像は、上記記憶部に記憶されると共に上記記憶部に記憶された映像が上記プリンタで出力されることを特徴とする監視カメラシステム。
【請求項３】
請求項１記載の監視カメラシステムにおいて、上記監視センタは、更に、映像配信部を有し、上記異常を検出したセンサが所属するグループの複数の監視カメラ装置からの映像を上記記憶部に記憶されている上記グループ分けされたテーブルに基づいて所定の部署に配信することを特徴とする監視カメラシステム。
【発明の詳細な説明】
【技術分野】
【０００１】
本発明は、監視カメラシステムに関し、特に、遠隔地で発生する犯罪、事故あるいは災害等の予防あるいは緊急時における迅速な現場状況の確認と対応を可能とする監視カメラシステムに関するものである。
【背景技術】
【０００２】
従来、複数の監視領域にそれぞれ監視カメラを設置し、各監視カメラにより撮影した監視画像を伝送回線により監視センタに伝送し、監視センタにおいて各監視カメラ装置から送られてくる画像をモニタに表示して犯罪、事故あるいは災害等を監視する監視カメラシステムが知られている。
【０００３】
また、上記監視カメラシステムでは、犯罪、事故、災害等を目撃した人から携帯端末やその他の端末を利用して送信される緊急通報を所定の監視センタで受付け、緊急通報発信者の位置を例えば、ＧＰＳ、無線等により特定し、その近くの監視カメラ装置を作動させると共に、警備員を派遣するなどの対応を取っている。
【０００４】
また、最近では、繁華街などに緊急通報用無線機を備えた防犯灯を設置し、犯罪が発生した場合に防犯塔に設けられている通報ボタンを押すと、所定の伝送回線により所定の監視センタや警察に通報するという監視カメラシステムも考えられている。
【０００５】
また、監視システムとして監視センタに緊急通報の画像や音声を通報するシステム（例えば、特許文献１参照）が知られている。このシステムについて図５を用いて説明する。図５において、監視センタ５０１は、伝送回線５０２を介して監視装置５０３に接続されている。監視装置５０３は、例えば、監視すべき場所、例えば、不審者の侵入を監視する銀行等に設置された監視カメラおよび小エリアの小形無線基地局装置等を備え、緊急通報機能を備えた携帯端末５０７と通信可能となっている。監視装置５０３は、携帯端末５０７からの緊急通報をアンテナ５０６を介して受信すると、監視カメラを即座に作動させると共に、監視センタ５０１に緊急通報の伝送、例えば、画像・音声伝送を行なう。監視センタ５０１は、各監視装置５０３から送られてくる監視画像を複数のモニタに表示して監視すると共に、監視装置５０３から緊急通報が送られてくると、公共機関５０５である警察、消防、自治体等に緊急通報のために監視画像等を伝送回線５０４により伝送する。また、監視センタ５０１は、監視装置５０３に設けられている監視カメラの起動、監視方向等を遠隔制御することができるように構成されている。
【０００６】
而して、上述した従来の監視カメラシステムでは、監視カメラで撮像した監視対象視野範囲の映像が監視センタに送られ、監視者は、その映像を見ることで監視するシステムである。しかしながら犯罪、事故あるいは災害等の緊急時の場合、監視場所の監視情報だけでなく、その監視場所に関係する広範囲の監視情報、あるいは時間の経過の監視情報が、犯罪、事故あるいは災害等の原因の究明や、更には、犯罪、事故あるいは災害等の未然の防止に役立つ場合が多い。従って、このような広範囲の監視情報、あるいは時間の経過の監視情報等を収集する監視カメラシステムの実現が望まれている。
【０００７】
【特許文献１】特開２００３−２７４０５０号公報
【発明の開示】
【発明が解決しようとする課題】
【０００８】
犯罪、事故あるいは災害等の緊急時の場合、監視場所の監視情報だけでなく、その監視場所に関係する広範囲の監視情報、あるいは時間の経過の監視情報が、犯罪、事故あるいは災害等の原因の究明や、更には、犯罪、事故あるいは災害等の未然の防止に役立つ場合が多い。
【０００９】
本発明の目的は、遠隔地で発生する犯罪、事故あるいは災害等の緊急時において、迅速な現場状況の確認と対応を可能とする監視カメラシステムを提供することである。
【００１０】
本発明の他の目的は、犯罪、事故あるいは災害等をセンサが感知した場合、関連する監視カメラ装置の監視映像を収集し、犯罪、事故あるいは災害等の原因の究明や、犯罪、事故あるいは災害等の未然の防止に役立つ監視カメラシステムを提供することである。
【００１１】
本発明の更に他の目的は、関連する部署に監視映像を配信することによって緊急時における迅速な対応が取れるような監視カメラシステムを提供することである。
【００１２】
本発明の更に他の目的は、多数の監視カメラ装置からの監視映像を記録装置に格納することによって、緊急時における迅速な現場状況の確認と対応を可能とする監視カメラシステムを提供することである。
【課題を解決するための手段】
【００１３】
本発明は、複数の監視カメラ装置と、複数のセンサ装置と、上記複数の監視カメラ装置および上記複数のセンサ装置が伝送路を介して接続された監視センタを具えた監視カメラシステムにおいて、上記監視センタは、制御部および記憶部を有し、上記複数の監視カメラ装置および上記複数のセンサ装置は、複数の地域にグループ分けされると共に、上記グループ分けされたテーブルが上記監視センタの上記記憶部に記憶され、上記制御部は、上記複数のセンサ装置の少なくとも１つのセンサからの異常信号を検出すると、上記制御部は、上記異常を検出したセンサが所属するグループの複数の監視カメラ装置の映像を収集するように構成される。
【００１４】
また、本発明の監視カメラシステムにおいて、上記監視センタは、更に、プリンタを有し、上記異常を検出したセンサが所属するグループの複数の監視カメラ装置からのそれぞれの映像は、上記記憶部に記憶されると共に上記記憶部に記憶された映像が上記プリンタで出力されるように構成される。
【００１５】
また、本発明の監視カメラシステムにおいて、上記記憶部に記憶される映像は、少なくとも上記監視カメラ装置の設置場所と上記映像の撮像時刻を関連して記憶し、上記プリンタで出力する画像に上記設置場所と撮像時刻とを同時に出力するように構成される。
【００１６】
また、本発明の監視カメラシステムにおいて、上記記憶部に記憶されるテーブルは、更に、上記監視カメラ装置の設置場所に応じた優先順位情報を有し、上記監視センタは、異常時のセンサ出力に基づいて上記監視カメラ装置からの画像を上記優先順位情報に基づいて収集するように構成される。
【００１７】
また、本発明の監視カメラシステムにおいて、上記監視センタの上記制御部は、タイマ装置を有し、上記タイマの出力に基づいて、上記複数の監視カメラ装置の映像が順次異なる時間に上記記憶装置に記憶されるように構成される。
【００１８】
更に、本発明の監視カメラシステムにおいて、上記監視センタは、更に、映像配信部を有し、上記異常を検出したセンサが所属するグループの複数の監視カメラ装置からの映像を上記記憶部に記憶されている上記グループ分けされたテーブルに基づいて所定の部署に配信するように構成される。
【発明の効果】
【００１９】
以上説明したように、本発明の監視カメラシステムを用いれば、監視場所の監視情報だけでなく、その監視場所に関係する広範囲の監視情報、あるいは時間の経過の監視情報が収集でき、犯罪、事故あるいは災害等の原因の究明や、更には、犯罪、事故あるいは災害等の未然の防止に役立たせることができ、迅速かつ的確な防災活動や災害時の被害の抑制等を図ることができる。また、屋外であっても携帯端末等に監視映像を配信することによって緊急時における迅速な対応が取れるような監視カメラシステムを実現できる。更に、多数の監視カメラ装置からの監視映像を記録装置に格納することによって、緊急時における迅速な現場状況の確認と対応を可能とする監視カメラシステムが実現でき極めて効果大である。
【発明を実施するための最良の形態】
【００２０】
図２は、本発明の一実施例を説明するためにダムや河川等に監視カメラ装置を配置た監視カメラシステムの応用形態を示す概念図である。図２において、２０１は、光ネットワークのような伝送線路、２０２は、監視センタ、２０３は、ダム、２０４は、水門、２０５は、排水機場、２０６は、水位計、ＣＡ−１、ＣＡ−２、・・・ＣＡ−ｎは、ダムや河川の監視用に設けられた監視カメラ装置を示す。
【００２１】
この監視映像配信システムの動作を説明する。例えば、監視カメラ装置ＣＡ−１は、ダム２０３を常時監視しており、豪雨時のダムの水位監視や不審者の侵入監視を行なう。監視カメラ装置ＣＡ−２は、河川に設けられた水位計２０６を監視し、危険水位等の情報を発信する。同様に監視カメラ装置ＣＡ−３、・・ＣＡ−ｎも河川、水門２０４、排水機場２０５等の水位の状況、侵入者の状況等の何等かの異常を監視するために設けられている。そして、各監視カメラ装置で撮像された監視場所の映像は、伝送路２０１を介して監視センタに送られる。
【００２２】
なお、各監視カメラ装置は、常時監視場所の映像を撮像し、監視センタに伝送することもできるが、このようにすると各監視カメラ装置の動作のために駆動電力の消費が大きくなったり、多数の監視カメラ装置からの映像伝送のために伝送路の映像の伝送帯域を広くしなければならない等の問題があり、通常では、異常が発生した監視場所の映像を伝送するように構成されるのが普通である。そのため各監視カメラ装置には、異常検知用のセンサが設けられ、センサが異常を検出した場合に監視カメラ装置を動作させるように構成する。このセンサとしては、赤外線センサ、音センサ、超音波センサや建物のドア等では、ドアセンサ等がある。また、監視カメラ装置では、画像処理により異常を検出する方法もある。この画像処理による異常検出の方法は、例えば、撮像画像の１フレーム前の画像の輝度信号と、１フレーム後の画像の輝度信号を比較し、所定の閾値以上の変化があると異常と判定する方法がある。また、撮影画像信号のヒストグラムから異常を検出する等の方法もある。以下、このようにカメラの画像を処理して異常を検出するものを画像処理センサと称する。
【００２３】
上述した監視カメラシステムは、ダム等の河川の監視システムに適応した場合について説明したが、このような監視カメラシステムは、トンネル内の監視システム、不法投棄監視システム、町の中での事件監視システム、公共施設、銀行、空港等のセキュリテイ監視システム等種々のものが存在する。
【００２４】
本発明は、上記のような種々の監視システムにおいて、監視場所に関係する広範囲の監視情報、あるいは時間の経過の監視情報が収集でき、犯罪、事故あるいは災害等の原因の究明や、更には、犯罪、事故あるいは災害等の未然の防止に役立たせる監視カメラシステムを実現するものである。
【００２５】
図１は、本発明の一実施例を説明するためのブロック図である。１０１−１、・・１０１−ｎは、複数の監視カメラ装置である。なお、監視カメラ装置を総称する場合は、監視カメラ装置１０１と称する。１０２−１、・・１０２−ｍは、センサ（またはセンサ装置）を示し、同様にセンサを総称する場合は、センサ１０２と称する。なお、センサ１０２は、上述したように赤外線センサ、音センサ、ドアセンサ、超音波センサおよび画像処理センサ等を含むものとする。複数の監視カメラ装置１０１および複数のセンサ１０２は、ネットワークのような伝送路を介して監視センタ１０４に接続されている。なお、複数の監視カメラ装置１０１および複数のセンサ１０２は、通常数十台から数百台で構成され、これら複数の監視カメラ装置１０１および複数のセンサ１０２は、監視対象あるいは監視地区ごとにグループ分けされ、必要な監視情報を収集するように構成されている。これについて表１を用いて説明する。
【００２６】
【表１】
2006080601.tif 000003
【００２７】
表１は、例えば、監視エリア、カメラの設置場所、カメラ番号およびセンサの種類をテーブルＡとしてテーブル化したものである。なお、このテーブルＡは、例えば、後述する監視センタの中央処理部の記憶部に格納されており、システムの管理者等は、設定内容を状況によって、種々変更したり、修正することが可能である。表１において、例えば、Ａ地区は、ダム、河川等の地区を監視する監視システムを示している。即ち、図２で説明した監視システムであり、ダム２０３には、監視カメラ装置ＣＡ−１が配置され、異常検出には上述した画像処理センサ機能を設けている。また、河川の水位計２０６には、監視カメラ装置ＣＡ−２が配置され、水位センサが配置されている。同様に、排水機場２０５には、監視カメラ装置ＣＡ−ｎが配置され、赤外線センサが配置されている。
【００２８】
また、監視エリアのＢ地区を監視する監視システムは、例えば、町の中での事件監視システムを示し、Ａ銀行には、監視カメラ装置ＣＢ−１と赤外線センサが設けられている。また、Ａストリートには、監視カメラ装置ＣＢ−ｍと画像処理センサが設けられている。同様に、監視エリアのＮ地区を監視する監視システムは、高速道路の自動車の流れや、自動車事故を監視するシステムを示し、高速道路Ｘ地点には、監視カメラ装置ＣＮ−１、画像処理センサが設けられ、Ｙインターチェンジには、監視カメラ装置ＣＮ−ｐと画像処理センサが設けられている。
【００２９】
而して、先に説明した図１に示す複数のカメラ装置１０１−１、・・１０１−ｎは、表１に示す監視エリア、Ａ、Ｂ・・・Ｎ地区の各監視カメラ装置が対応する。同様に、複数のセンサ１０２−１、・・１０２−ｍは、表１に示す各地区に配置されているセンサに対応する。そして、それぞれの監視カメラ装置およびそれぞれのセンサの出力は、伝送路１０３を介して監視センタ１０４に伝送されている。
【００３０】
以下、図１に示す一実施例の動作を説明する。まず、監視センタ１０４は、伝送路１０３から供給される映像信号を適宜切替える映像切替部１１０、監視センタを制御する制御部１１１、監視映像を表示する監視モニタ１１２、映像を別の関係部署、例えば、警察、消防、自治体（図示せず。）に送るための伝送路１０５あるいは携帯無線機１０６へ配信するための映像配信部１１３、映像の記憶部１１４、制御部を操作する操作部１１５およびプリンタ１１６で構成されている。また、センサ１０２−１、・・・１０２−ｍは、それぞれ監視カメラ装置１０１と対をなして監視カメラ装置１０１が配置されている場所に配置されている。なお、監視カメラ装置１０１が画像処理センサとしての機能を持つ場合には、赤外線センサや音センサ等のセンサは不要であるが、設置する場所、環境によっては、複数のセンサを組合わせて配置する場合もある。そして、各センサ１０２のセンサ出力は、伝送路１０３を介して制御部１１１に伝送される。制御部１１１は、各センサ１０２からのセンサ出力に応答して監視センタ１０４の各機器を制御するように構成されている。
【００３１】
ここで、図３を用いて制御部１１１の動作を更に詳細に説明する。まず、ステップ３０１では、センサ出力を検出する。即ち、監視センタ１０４では、ネットワークのような伝送路１０３に接続されている多数のセンサ１０２のセンサ出力を常時監視している。そして、センサ出力に異常が発生するとどのセンサが異常を報知したかを検出する。例えば、図４は、図２に示す監視カメラ装置ＣＡ−１の監視映像を監視モニタ１１２に映し出したものである。この監視カメラ装置ＣＡ−１は、常時ダム２０３を撮像している。今、仮に集中豪雨等で、ダムの水量が増加し、危険水位を超えたことを画像処理センサが検知し、制御部１１１に異常を通報した場合を例に説明する。なお、監視カメラ装置ＣＡ−１は、ズーム機能を有し、必要により画像を拡大できることは言うまでもない。また、モニタ画面には、撮像場所：ダム、撮像日時：８月５日、１６時３１分２６秒というように場所と日時が表示されている。なお、場所、日時以外にも、例えば、異常を検知したセンサの種類等の情報をモニタ画面に表示するようにしても良い。
【００３２】
ステップ３０２では、異常を報知したセンサがどの地区のセンサかを判定する。即ち、先に説明したように記憶部１１４には、表１に示すテーブルが記憶されているので、例えば、監視カメラ装置ＣＡ−１の画像処理センサはＡ地区に所属していることが制御部１１１で判定できる。
【００３３】
ステップ３０３では、ステップ３０２でＡ地区のセンサと判定された結果に基づいてＡ地区に所属している監視カメラ装置１０１、即ち、表１に示すＡ地区に配置されている全ての監視カメラ装置ＣＡ−２、・・ＣＡ−ｎを制御部１１１から起動する。
【００３４】
ステップ３０４では、監視カメラ装置ＣＡ−１、ＣＡ−２、・・ＣＡ−ｎの全ての映像を映像切替部１１０を制御して入手する。
【００３５】
ステップ３０５では、映像切替部１１０で入手された映像を監視モニタ１１２に表示する。
【００３６】
以上、説明したように本発明では、複数の場所に配置されているサンサのどれか１つでも異常を検出すると、そのセンサが所属する地区全ての監視カメラ装置、例えば、Ａ地区の全ての監視カメラ装置ＣＡ−１、ＣＡ−２、・・ＣＡ−ｎが起動され、その全映像が監視センタで入手できるようになっている。上記の場合、集中豪雨等で、ダムの水量が増加し、危険水位を超えたことをダム２０３に配置されて画像処理センサが報知すると、ダムより下流の河川の監視カメラ装置ＣＡ−２や排水機場２０５の監視カメラ装置ＣＡ−ｎ等の監視カメラ装置が自動的に起動され、その撮像画像を監視センタ１０４に伝送されるので、ダムより下流の河川の危険の度合いや状況を把握できるので、災害の緊急対策や災害の未然防止に役立てることが可能である。なお、上記の実施例では、例えば、広範囲のエリアで説明したが、Ａ地区を複数の地区に細分化し、河川流域の市町村のレベルにおいて実施することもできることは言うまでもない。また、上記実施例では、Ａ地区について説明したが、Ｂ地区、・・Ｎ地区についても同様である。例えば、Ｂ地区のＡ銀行で不審者が発見された場合、即ち、Ａ銀行のセンサ装置が働き、Ｂ地区の全ての監視カメラ装置が駆動される。そのため、不審者のその後の行動がＢ地区の各ストリート（道路）に配置されている監視カメラ装置で監視映像として撮影されているので、監視モニタ１１２あるいは記憶部１１４に記憶されている画像を見ることで、状況の把握が可能となる。また、例えば、Ｎ地区では、高速道路Ｘ地点で事故が発生した場合、その周辺に配置された監視カメラ装置で画像が撮影されているので、事故の前後の状況を把握する等が容易になる。
【００３７】
また、映像配信部１１３は、上述のように異常を検出した場合、グループ分けされた地区毎に所定の部署に伝送路１０５で、例えば、警察、消防、自治体等に当該グループの複数の監視カメラ装置の映像を配信する。更に、必要に応じてその映像を自動的に無線にて遠隔地の複数箇所の関連する携帯端末１０６へ配信することができる。
【００３８】
また、上記実施例において、監視モニタ１１２は、複数の監視カメラ装置の映像を表示できるマルチ映像表示画面のモニタであったり、また、各監視カメラ装置の映像を順次スクロールして見る機能を有しているが、そのためには、記憶部１１４は、複数の監視カメラ装置からの映像を記録できる記憶部であることが望ましい。記憶部としては、半導体メモリ、ハードデイスク、ＭＯデイスク、光デイスク等が使用可能である。
【００３９】
更に、記憶部１１４には、表１に基づいて、記憶されるカメラの画像と共に、撮像場所（監視カメラ装置の設置場所に対応）や時刻情報も一緒に記憶される。図４のモニタ画面には、この撮像場所や時刻情報が表示されている。また、異常が検知されると多数の監視カメラ装置が起動され、一度に多数の監視カメラ装置からの映像が伝送され、記憶部１１４に記憶されるので、監視モニタ１１２で一度に見ることは不可能である。従って、このような場合には、プリンタ１１６で画像を印刷し、災害対策の管理者に提供することができる特徴がある。なお、プリンタ１１６に画像を印刷する際は、１ページに1枚の画像を印刷するようにしてもよいし、異常を検知したセンサが所属するグループの複数の監視カメラ装置１０１の画像をまとめて１ページに一覧表示するように印刷してもよい。また、図４と同様に、画像をプリンタ１１６で印刷する際は、画像と共に撮影場所や、撮影時刻や、異常を検知したセンサの種類等の監視情報を一緒に印字する。なお、プリンタ１１６への画像の印刷は、監視センタ１０４から伝送路１０５を介して映像を受信した所定の部署において自動的に行われるようにしてもよい。また、上記した所定の部署に対して、画像情報をファクシミリで伝送するようにしてもよい。このように、センサにより異常が検知された場合に即時に画像がプリントアウトされる構成とすると、事件が起きたときの報告の利便性や、対策打合せの即時性といった利点がある。
【００４０】
なお、上記した例では、センサにより異常が検出された場合には、監視センタ１０４からの指令によりセンサが所属する地区すべての監視カメラ装置１０１を起動する構成を示したが、他の構成例として、監視カメラ１０１は常時起動しており、センサにより異常が検出された場合には、監視センタ１０４からセンサが所属する地区すべての監視カメラ装置１０１に対して映像の送信要求を出力するような構成等が用いられてもよい。
【００４１】
また、更に、他の構成例として、監視カメラ１０１は、監視センタ１０４からの指令により撮像方向（パン、チルト）やズーム倍率等を遠隔制御可能なように構成されており、センサにより異常が検出された場合には、監視センタ１０４からセンサが所属する地区すべての監視カメラ装置１０１に対して映像の送信要求を出力すると共に、予め設定されている撮影点（プリセット値）に撮像方向やズーム倍率等を変更する旨の指令を出力するような構成が用いられてもよい。これにより、例えば、センサにより異常が検出されない通常時において、監視センタ１０４からの遠隔制御等により監視カメラ１０１の撮像方向が予期せぬ方向に向けられているような場合においても、センサにより異常が検出された場合には、監視カメラ１０１の撮像方向を監視エリアの確認に適した方向に即座に戻すことができるため、監視エリアを効果的に監視することが可能である。
【００４２】
次に、本発明の他の一実施例を表２を用いて説明する。表２は、例えば、設置されているセンサに優先順位（１、２、・・ｎ）をつける場合である。
【００４３】
【表２】
2006080601.tif 000004
【００４４】
表２は、例えば、Ａ地区に配置されている監視カメラ装置とセンサに優先度を設けた場合である。河川の上流に設置された監視カメラ装置は、優先度を高く、下流では、優先度を低く設定しておく。そして、例えば、複数のセンサからほぼ同時に異常が報知されると、処理が混乱する場合がある。しかし、処理の優先度を前もって定めておくと制御部１１１では、優先度に応じて処理できる利点がある。特に、多数の監視カメラ装置から映像が送られてくるような場合、監視モニタ１１２にどの監視カメラ装置の映像を先にモニタするかが問題になるので、優先度を定めておくと、優先度に従って画像をモニタすることが可能である。即ち、優先度の高い監視カメラ装置の画像から先に監視モニタ１１２に画像を表示したり、遠隔地の携帯端末１０６へ配信したり、プリンタ１１６で印刷したりすることができる。また、表２に示す優先度の設定は、場所、状況、環境によって種々変更したり、修正することが可能である。
【００４５】
また、本発明の更に他の一実施例を表３を用いて説明する。表３は、例えば、監視映像配信システムにおける映像の時間的な変化を定期的に蓄積し、異常等を判断するシステムである。
【００４６】
【表３】
2006080601.tif 000005
【００４７】
表３は、例えば、表１に示すＡ地区（ダム、河川地区）の時間ｔ１の水位および時間ｔ２の水位を記録したテーブルであり、これは、記憶部１１４に記憶される。このデータは、例えば、センサ１０２が異常を報知すると、制御部１１１は、異常を報知した地区の監視カメラ装置１０１を起動し、例えば、Ａ地区の場合、ダム、河川の水位の時間的なデータを収集し、記憶部１１１に記録する。また、必要によりこのデータを監視モニタ１１２に表示することによって危険の程度、危険の状況を把握することができる。なお、本実施例では、センサ１０２が異常を報知した場合について説明したが、センサ１０２が異常を報知する以外に、監視センタの監視員が操作部１１５を操作して必要な地区の画像データや関連情報を記憶部１１４に記憶させることもできる。また、自動的に記録する場合には、制御部１１１にタイマを設け、このタイマに各監視カメラ装置からの映像を定期的に収集するための時刻を設定しておけば、設定された時刻毎に表３で示すようなデータが収集できる。
【００４８】
また、本発明の更に他の一実施例について説明する。監視センタ１０４は、常時、複数の監視カメラ１０１から映像を取得し、取得した映像を記憶部１１４に蓄積しておく。そして、センサ１０２が異常を検知した場合には、記憶部１１４から当該センサ１０２に対応する監視カメラ装置の画像（静止画像）について、時間的に異なるものを複数フレーム読み出して、遠隔地の携帯端末１０６への配信等を行う。例えば、センサの異常検知時刻の静止画像に加えて、異常検知時刻の１０分前の画像、３０分前の画像、１時間前の画像の計４枚の静止画像を遠隔地の携帯端末１０６へ配信したり、プリンタ１１６で印刷したりする。このような時間設定は、システムの管理者等が状況によって種々変更したり、修正することが可能である。なお、複数枚の画像をプリンタ１１６で印刷する際には、１ページに一覧表示するように印刷してもよい。
【００４９】
以上、本発明について詳細に説明したが、本発明は、ここに記載された監視カメラシステムに限定されるものではなく、上記以外の監視カメラシステムに広く適応することが出来ることは、言うまでも無い。
【図面の簡単な説明】
【００５０】
【図１】本発明の一実施例の概略構成を示すブロック図である。
【図２】本発明の応用形態を示す概念図である。
【図３】本発明の制御部の動作を説明するためのフロー図である。
【図４】本発明の監視カメラ装置の監視映像を示す図である。
【図５】従来の監視カメラシステムの一例を示すブロック図である。
【符号の説明】
【００５１】
１０１：監視カメラ装置、１０２：センサ、１０３、１０５、２０１、５０２：伝送路、１０４、２０２、５０１：監視センタ、１０６、５０７：携帯端末、１１０：映像切替部、１１１：制御部、１１２：監視モニタ、１１３：映像配信部、１１４：記憶部、１１５：操作部、１１６：プリンタ、２０３：ダム、２０４：水門、２０５：排水機場、２０６：水位計、５０３：監視装置、５０４：画像伝送、５０５：警察・消防・自治体、５０６：アンテナ。
【図１】
2006080601.tif 000006
【図２】
2006080601.tif 000007
【図３】
2006080601.tif 000008
【図４】
2006080601.tif 000009
【図５】
2006080601.tif 000010